(57)【要約】【課題】包装箱の強度低下を抑制するとともに、廃棄または回収を容易にすることができる包装箱を提供する。【解決手段】４つの側板部１２，１３に囲まれ一方および他方の開口を有する本体部１１と、本体部１１の一方の開口の蓋を形成する一対の第１蓋フラップ２１，４１および一対の第２蓋フラップ３１，５１と、第２蓋フラップ３１，５１における先端側の辺に設けられた第２ロック片３２，５２と、第１蓋フラップ２１，４１における本体部１１がつぶされた際に第２ロック片３２，５２と対向する位置に設けられた第１ロック片２２，４２と、が設けられ、第２ロック片３２，５２における先端側の幅Ｈ＿ｏｕｔは、第１ロック片２２，４２の先端側の幅Ｈ＿ｉｎよりも広く、第２ロック片３２，５２における本体部１１側の幅ｈ＿ｏｕｔは、第１ロック片２２，４２の本体部１１側の幅ｈ＿ｉｎ以下であることを特徴とする。【選択図】図１
2019116303.tif 000002
【特許請求の範囲】
【請求項１】
４つの側板部に囲まれ一方の開口および他方の開口を有する四角筒状の本体部と、
前記本体部の前記一方の開口側から延びて設けられ、前記一方の開口の蓋を形成する一対の第１蓋フラップおよび一対の第２蓋フラップと、
前記第２蓋フラップにおける先端側の辺に設けられた一対の切れ目または複数の切れ目が並んだ易切断線により区画された第２ロック片と、
前記第１蓋フラップにおける先端側の辺における、前記本体部がつぶされた際に前記第２ロック片と対向する位置に設けられた一対の切れ目または易切断線により区画された第１ロック片と、
が設けられ、
前記第２ロック片における先端側の幅は、前記第１ロック片の先端側の幅よりも広く、前記第２ロック片における前記本体部側の幅は、前記第１ロック片の前記本体部側の幅以下であることを特徴とする包装箱。
【請求項２】
前記第２ロック片には、前記第２蓋フラップが前記一方の開口の蓋を形成した際に、前記本体部の内側に向かって折れ曲がり可能とする折り目が設けられていることを特徴とする請求項１記載の包装箱。
【請求項３】
前記第２ロック片は、前記第２蓋フラップにおける先端側の辺の中央に設けられていることを特徴とする請求項１または２に記載の包装箱。
【請求項４】
前記第２蓋フラップにおける先端側の辺の端部には、易切断線によって前記第２蓋フラップと切り離し可能に区画されるとともに、前記第２蓋フラップが前記一方の開口の蓋を形成した際に、当該区画された領域が前記第１蓋フラップに接着される切離し部が設けられていることを特徴とする請求項１から３のいずれか１項に記載の包装箱。
【請求項５】
前記一対の第１蓋フラップおよび前記一対の第２蓋フラップは、折り畳まれることにより前記本体部の天蓋となることを特徴とする請求項１から４のいずれか１項に記載の包装箱。
【請求項６】
前記一対の第１蓋フラップおよび前記一対の第２蓋フラップは、折り畳まれることにより前記本体部の底蓋となることを特徴とする請求項１から５のいずれか１項に記載の包装箱。
【発明の詳細な説明】
【技術分野】
【０００１】
本発明は、包装箱に関する。
【背景技術】
【０００２】
商品や物品などを出荷や運搬する際に使用される包装箱は、使用後に廃棄または古紙として回収される。使用済みの包装箱を廃棄または回収する場合、包装箱は天蓋および底蓋を解体され、四側面をひし形につぶされる。つぶした状態の包装箱は、積み上げられて紐などで結束され、結束された状態で廃棄または回収される。
【０００３】
しかしながら、包装箱は四側面をひし形につぶしただけでは、つぶされた状態が維持されず、元の形状に戻ろうとする。そのため、使用後の包装箱をつぶして集積する際に、コンパクトに集積できないという問題があった。また、つぶした包装箱を紐で結束する作業が必要なるという問題があった。
【０００４】
これらの問題を解決するために、包装箱の側面に折り畳みロック片を設けた包装箱が提案されている（例えば、特許文献１参照。）。この包装箱は、四側面をひし形につぶした後に、折り畳みロック片を折り曲げることにより、つぶされた状態から元の形状に戻ることが抑制される。
【先行技術文献】
【特許文献】
【０００５】
【特許文献１】特許第４７１５０５０号公報
【発明の概要】
【発明が解決しようとする課題】
【０００６】
しかしながら、上述の特許文献１に記載された包装箱は、側面に折り畳みロック片が設けられているため、包装箱の上下方向（天蓋から底蓋に向かう方向）の強度が低下しやすいという問題があった。具体的には、折り畳みロック片が設けられた側面が折れ曲がりやすい。そのため、包装箱が上下方向に耐えられる力が小さくなる（例えば、包装箱を積み上げられない）という問題があった。
【０００７】
本発明は、上記の課題を解決するためになされたものであって、包装箱の強度低下を抑制するとともに、廃棄または回収を容易にすることができる包装箱を提供することを目的とする。
【課題を解決するための手段】
【０００８】
上記目的を達成するために、本発明は、以下の手段を提供する。
本発明の包装箱は、４つの側板部に囲まれ一方の開口および他方の開口を有する四角筒状の本体部と、前記本体部の前記一方の開口側から延びて設けられ、前記一方の開口の蓋を形成する一対の第１蓋フラップおよび一対の第２蓋フラップと、前記第２蓋フラップにおける先端側の辺に設けられた一対の切れ目または複数の切れ目が並んだ易切断線により区画された第２ロック片と、前記第１蓋フラップにおける先端側の辺における、前記本体部がつぶされた際に前記第２ロック片と対向する位置に設けられた一対の切れ目または易切断線により区画された第１ロック片と、が設けられ、前記第２ロック片における先端側の幅は、前記第１ロック片の先端側の幅よりも広く、前記第２ロック片における前記本体部側の幅は、前記第１ロック片の前記本体部側の幅以下であることを特徴とする。
【０００９】
本発明の包装箱によれば、本体部をつぶした状態において、第２ロック片を第１ロック片に向かって折り曲げることにより、本体部をつぶした状態に維持することが可能となる。第２ロック片の先端側の幅は、第１ロック片の先端側の幅よりも広いため、第１ロック片に向かって折り曲げられた第２ロック片は、第１蓋フラップに係止される。また、第２ロック片は第２蓋フラップに設けられ、第１ロック片は第１蓋フラップに設けられているため、側板部にロック片が設けられている場合と比較して、包装箱の強度低下を抑制しやすい。
【００１０】
上記発明において前記第２ロック片には、前記第２蓋フラップが前記一方の開口の蓋を形成した際に、前記本体部の内側に向かって折れ曲がり可能とする折り目が設けられていることが好ましい。
【００１１】
このように第２ロック片に折り目を設けることにより、一方の開口の蓋を形成した第２蓋フラップを開きやすくなる。つまり、折り目に沿って第２ロック片が本体部の内側に折れ曲がることにより、指を差し込んで第２蓋フラップをつかむ凹部が形成される。この凹部に指をかけることによりにより、第２蓋フラップを開きやすくなる。
【００１２】
上記発明において前記第２ロック片は、前記第２蓋フラップにおける先端側の辺の中央に設けられていることが好ましい。
このように第２蓋フラップにおける先端側の辺の中央に第２ロック片を設けることにより、当該辺の端部に第２ロック片を設けた場合と比較して、本体部をつぶした状態に維持しやすくなる。また、一方の開口の蓋を形成した第２蓋フラップを開きやすくなる。
【００１３】
上記発明において前記第２蓋フラップにおける先端側の辺の端部には、易切断線によって前記第２蓋フラップと切り離し可能に区画されるとともに、前記第２蓋フラップが前記一方の開口の蓋を形成した際に、当該区画された領域が前記第１蓋フラップに接着される切離し部が設けられていることが好ましい。
【００１４】
このように第２蓋フラップにおける先端側の辺の端部に切離し部を設けることにより、一方の開口の蓋を形成した第２蓋フラップを開く際に、切離し部と第２蓋フラップとが分離する。切離し部は第１蓋フラップに接着した状態で残る。また、第１蓋フラップにおける切離し部が接着する領域は、第１ロック片が設けられる領域とは異なる。そのため、本体部をつぶした状態に維持することは可能となる。
【００１５】
上記発明において前記一対の第１蓋フラップおよび前記一対の第２蓋フラップは、折り畳まれることにより前記本体部の天蓋となることが好ましい。
上記発明において前記一対の第１蓋フラップおよび前記一対の第２蓋フラップは、折り畳まれることにより前記本体部の底蓋となることが好ましい。
【００１６】
このように一対の第１蓋フラップおよび一対の第２蓋フラップを折り畳んで天蓋および底蓋の少なくとも一方になるようにすることで、側板部にロック片が設けられている場合と比較して、包装箱の強度低下を抑制しやすい。
【発明の効果】
【００１７】
本発明の包装箱によれば、第２蓋フラップに第２ロック片を設け、第１蓋フラップに第１ロック片を設けたことにより、包装箱の強度低下を抑制するとともに、廃棄または回収を容易にすることができるという効果を奏する。
【図面の簡単な説明】
【００１８】
【図１】本発明の一実施形態に係る包装箱を説明する展開図である。
【図２】図１の包装箱における天蓋の構成を説明する斜視図である。
【図３】図１の包装箱における天蓋の構成を説明する斜視図である。
【図４】図３の包装箱における天蓋の開封方法を説明する斜視図である。
【図５】図３の包装箱における天蓋の開封方法を説明する斜視図である。
【図６】開封された包装箱がつぶされた状態を説明する部分斜視図である。
【図７】つぶされた包装箱がロックされた状態を説明する部分斜視図である。
【発明を実施するための形態】
【００１９】
この発明の一実施形態に係る包装箱１０について、図１から図７を参照しながら説明する。
本実施形態では、包装箱１０が商品や物品などを出荷や運搬する際に使用されるものである例に適用して説明する。本実施形態の包装箱１０には、図１に示すように、本体部１１と、一対の内側天蓋フラップ（第１蓋フラップ）２１と、一対の外側天蓋フラップ（第２蓋フラップ）３１と、一対の内側底蓋フラップ（第１蓋フラップ）４１と、一対の外側底蓋フラップ（第２蓋フラップ）５１と、が主に設けられている。
【００２０】
本体部１１は、包装箱１０の側面となる四角筒形状を構成するものである。四角筒形状の一方の開口が天側の開口となり、他方の開口が底側の開口となる。本体部１１には、２つの矩形状の第１側板部（側板部）１２と、２つの矩形状の第２側板部（側板部）１３と、が主に設けられている。
【００２１】
展開した状態において第１側板部１２および第２側板部１３は、交互に並んで配置され境界には折り目が設けられている。また、本体部１１の端部には、本体部１１を四角筒状にする際に用いられる接続代１４が設けられている。
【００２２】
内側天蓋フラップ２１は、外側天蓋フラップ３１とともに包装箱１０の天蓋を構成するものである。内側天蓋フラップ２１は、第２側板部１３における天側の開口端から延びて設けられた矩形状のものである。内側天蓋フラップ２１と第２側板部１３との間には折り目が設けられている。
【００２３】
内側天蓋フラップ２１には、内側天ロック片（第１ロック片）２２が設けられている。内側天ロック片２２は、内側天蓋フラップ２１における第２側板部１３とは反対側である先端側の辺であって、四角筒形状の本体部１１が平らにつぶされた際に後述する外側天ロック片３２と対向する位置に設けられている。内側天ロック片２２は、天側から底側に向かって直線上に延びる一対の内側ロック切れ目（切れ目）２３により内側天蓋フラップ２１と区画されている。
【００２４】
なお内側天ロック片２２は、上述のように一対の内側ロック切れ目２３により内側天蓋フラップ２１と区画されていてもよいし、一対の易切断線により区画されていてもよく、特に限定するものではない。
【００２５】
外側天蓋フラップ３１は、外側天蓋フラップ３１は、第１側板部１２における天側の開口端から延びて設けられた矩形状のものである。外側天蓋フラップ３１と第２側板部１３との間には折り目が設けられている。
【００２６】
外側天蓋フラップ３１には、外側天ロック片（第２ロック片）３２と、天側切離し部（切離し部）３５と、が設けられている。外側天ロック片３２は、外側天蓋フラップ３１における第１側板部１２とは反対側である先端側の辺であって、当該辺の概略中央に設けられている。外側天ロック片３２は、天側から底側に向かって直線状に延び、その後互いに近づく方向に湾曲する一対の外側天ロック切れ目（切れ目）３３により外側天蓋フラップ
３１と区画されている。
【００２７】
なお外側天ロック片３２は、上述のように一対の外側天ロック切れ目３３により外側天蓋フラップ３１と区画されていてもよいし、一対の易切断線により区画されていてもよく、特に限定するものではない。
【００２８】
外側天ロック片３２と外側天蓋フラップ３１との境目には、外側天ロック折り目（折り目）３４が設けられている。外側天ロック折り目３４は、外側天ロック片３２を本体部１１に内側に向けて折り曲げ可能とするものである。
【００２９】
外側天ロック片３２における先端側の幅Ｈ＿ｏｕｔは、内側天ロック片２２の先端側の幅Ｈ＿ｉｎよりも大きく形成されている。また、外側天ロック片３２における第１側板部１２側の端部である根元側の幅ｈ＿ｏｕｔは、内側天ロック片２２の根元側の幅ｈ＿ｉｎと同程度の大きさに形成されている。
【００３０】
天側切離し部３５は、外側天蓋フラップ３１における第１側板部１２とは反対側である先端側の辺であって、当該辺の両角部に設けられている。天側切離し部３５は、天側から底側に向かって直線状に延び、その後外側天蓋フラップ３１の側辺に向かって直線状に延びる天側易切断線（易切断線）３６により外側天蓋フラップ３１と区画されている。
【００３１】
内側底蓋フラップ４１は、内側天蓋フラップ２１とともに包装箱１０の底蓋を構成するものである。内側底蓋フラップ４１は、第２側板部１３における底側の開口端から延びて設けられた矩形状のものである。内側底蓋フラップ４１と第２側板部１３との間には折り目が設けられている。
【００３２】
内側底蓋フラップ４１には、内側底ロック片（第１ロック片）４２が設けられている。内側底ロック片４２は、内側底蓋フラップ４１における第２側板部１３とは反対側である先端側の辺であって、四角筒形状の本体部１１が平らにつぶされた際に後述する外側底ロック片５２と対向する位置に設けられている。内側底ロック片４２は、底側から天側に向かって直線上に延びる一対の内側ロック切れ目（切れ目）４３により内側底蓋フラップ４１と区画されている。
【００３３】
なお内側底ロック片４２は、上述のように一対の内側ロック切れ目４３により内側底蓋フラップ４１と区画されていてもよいし、一対の易切断線により区画されていてもよく、特に限定するものではない。
【００３４】
外側底蓋フラップ５１は、外側底蓋フラップ５１は、第２側板部１３における底側の開口端から延びて設けられた矩形状のものである。外側底蓋フラップ５１と第２側板部１３との間には折り目が設けられている。
【００３５】
外側底蓋フラップ５１には、外側底ロック片（第２ロック片）５２と、底側切離し部（切離し部）５５と、が設けられている。外側底ロック片５２は、外側底蓋フラップ５１における第１側板部１２とは反対側である先端側の辺であって、当該辺の概略中央に設けられている。外側底ロック片５２は、底側から天側に向かって直線状に延び、その後互いに近づく方向に湾曲する一対の外側底ロック切れ目（切れ目）５３により外側底蓋フラップ５１と区画されている。
【００３６】
なお外側底ロック片５２は、上述のように一対の外側底ロック切れ目５３により外側底蓋フラップ５１と区画されていてもよいし、一対の易切断線により区画されていてもよく、特に限定するものではない。
【００３７】
外側底ロック片５２と外側底蓋フラップ５１との境目には、外側底ロック折り目（折り目）５４が設けられている。外側底ロック折り目５４は、外側底ロック片５２を本体部１１に内側に向けて折り曲げ可能とするものである。
【００３８】
外側底ロック片５２における先端側の幅Ｈ＿ｏｕｔは、内側底ロック片４２の先端側の幅Ｈ＿ｉｎよりも大きく形成されている。また、外側底ロック片５２における第１側板部１２側の端部である根元側の幅ｈ＿ｏｕｔは、内側底ロック片４２の根元側の幅ｈ＿ｉｎと同程度の大きさに形成されている。
【００３９】
底側切離し部５５は、外側底蓋フラップ５１における第１側板部１２とは反対側である先端側の辺であって、当該辺の両角部に設けられている。底側切離し部５５は、底側から天側に向かって直線状に延び、その後外側底蓋フラップ５１の側辺に向かって直線状に延びる底側易切断線（易切断線）５６により外側底蓋フラップ５１と区画されている。
【００４０】
次に、上記の構成からなる包装箱１０における天蓋および底蓋の開封と、開封後の折り畳みについて図２から図７を参照しながら説明する。まず、内側天蓋フラップ２１および外側天蓋フラップ３１による天蓋の構成手順と開封方法について説明する。なお、底蓋については天蓋と構成する手順や開封する方法が同じであるため、その説明を省略する。
【００４１】
まず図２に示すように、本体部１１を四角筒状として一対の内側天蓋フラップ２１が天側の開口に向けて折り曲げられる。次いで図３に示すように、一対の外側天蓋フラップ３１が、内側天蓋フラップ２１に折り重なるように折り曲げられ天蓋が構成される。
【００４２】
この時、外側天蓋フラップ３１の天側切離し部３５における内側天蓋フラップ２１と対向する領域Ｒ（図２参照。）に、内側天蓋フラップ２１と接着するホットメルト接着剤が塗布される。天側切離し部３５は、外側天蓋フラップ３１が内側天蓋フラップ２１に折り重なるように折り曲げられ際に、内側天蓋フラップ２１における本体部１１側の領域に重ね合わされる。言い換えると、内側天ロック片２２が設けられている先端側と反対側の領域に重ね合わされる。その結果、塗布されたホットメルト接着剤により、内側天蓋フラップ２１と外側天蓋フラップ３１とが接着、固定されて天蓋が構成される。
【００４３】
なお、本実施形態ではホットメルト接着剤により内側天蓋フラップ２１と外側天蓋フラップ３１とが接着される例に適用して説明したが、内側天蓋フラップ２１と外側天蓋フラップ３１とを接着または固定するものであれば、両面テープなどの公知の部材を用いることができ、特に限定するものではない。
【００４４】
次に、天蓋の開封について図４および図５を参照しながら説明する。なお、底蓋については天蓋と構成する手順や開封する方法が同じであるため、その説明を省略する。
まず図４に示すように、外側天ロック片３２を本体部１１の内側へ押し込み、折り曲げる。次いで、折り曲げにより形成された凹部に手をかけ、図５に示すように、外側天蓋フラップ３１を内側天蓋フラップ２１から引き離す。
【００４５】
このとき天側易切断線３６が破断し、外側天蓋フラップ３１と天側切離し部３５とが切り離される。切り離された天側切離し部３５は、内側天蓋フラップ２１に接着されたままとなる。最後に内側天蓋フラップ２１を開くことにより、天蓋の開封が完了する。
【００４６】
次に、開封後の折り畳みについて図６および図７を参照しながら説明する。ここでは、内側天ロック片２２および外側天ロック片３２における折り畳み方法ついて説明する。なお、内側底ロック片４２および外側底ロック片５２における折り畳み方法も同様であるた
め、その説明を省略する。
【００４７】
天蓋および底蓋が開封されると、図６に示すように、本体部１１をつぶして板状の形状とする。このとき、内側天蓋フラップ２１と外側天蓋フラップ３１とが対向して配置されている。
【００４８】
次に図７に示すように、外側天ロック片３２を内側天ロック片２２に向けて折り曲げる。外側天ロック片３２の先端側の幅Ｈ＿ｏｕｔは、内側天ロック片２２の先端側の幅Ｈ＿ｉｎよりも大きいため、外側天ロック片３２は折れ曲がった状態で内側天蓋フラップ２１に係止される。
【００４９】
その結果、対向する内側天蓋フラップ２１および外側天蓋フラップ３１が重なり合った状態で保持される。言い換えると、つぶされた本体部１１が開いて四角筒状になることを抑制することができる。
【００５０】
上記の構成の包装箱１０によれば、本体部１１をつぶした状態において、外側天ロック片３２（外側底ロック片５２）を内側天ロック片２２（内側底ロック片４２）に向かって折り曲げることにより、本体部１１をつぶした状態に維持することが可能となる。外側天ロック片３２（外側底ロック片５２）の先端側の幅Ｈ＿ｏｕｔは、内側天ロック片２２（内側底ロック片４２）の先端側の幅Ｈ＿ｉｎよりも広いため、内側天ロック片２２（内側底ロック片４２）に向かって折り曲げられた外側天ロック片３２（外側底ロック片５２）は、内側天蓋フラップ２１（内側底蓋フラップ４１）に係止される。
【００５１】
また、外側天ロック片３２（外側底ロック片５２）は外側天蓋フラップ３１（外側底蓋フラップ５１）に設けられ、内側天ロック片２２（内側底ロック片４２）は内側天蓋フラップ２１（内側底蓋フラップ４１）に設けられているため、第１側板部１２や第２側板部１３にロック片が設けられている場合と比較して、包装箱１０の強度低下を抑制しやすい。
【００５２】
外側天ロック片３２（外側底ロック片５２）に外側天ロック折り目３４（外側底ロック折り目５４）を設けることにより、天側開口の天蓋（底側開口の底蓋）を形成した外側天蓋フラップ３１（外側底蓋フラップ５１）を開きやすくなる。つまり、外側天ロック折り目３４（外側底ロック折り目５４）に沿って外側天ロック片３２（外側底ロック片５２）が本体部１１の内側に折れ曲がることにより、指を差し込んで外側天蓋フラップ３１（外側底蓋フラップ５１）をつかむ凹部が形成される。この凹部に指をかけることができるため、外側天蓋フラップ３１（外側底蓋フラップ５１）を開きやすくなる。
【００５３】
外側天蓋フラップ３１（外側底蓋フラップ５１）における先端側の辺の中央に外側天ロック片３２（外側底ロック片５２）を設けることにより、当該辺の端部に外側天ロック片３２（外側底ロック片５２）を設けた場合と比較して、本体部１１をつぶした状態に維持しやすくなる。また、天側開口の天蓋（底側開口の底蓋）を形成した外側天蓋フラップ３１（外側底蓋フラップ５１）を開きやすくなる。
【００５４】
外側天蓋フラップ３１（外側底蓋フラップ５１）における先端側の辺の端部に天側切離し部３５（底側切離し部５５）を設けることにより、天側開口の天蓋（底側開口の底蓋）を形成した外側天蓋フラップ３１（外側底蓋フラップ５１）を開く際に、天側切離し部３５（底側切離し部５５）と外側天蓋フラップ３１（外側底蓋フラップ５１）とが分離する。天側切離し部３５（底側切離し部５５）は内側天蓋フラップ２１（内側底蓋フラップ４１）に接着した状態で残る。そのため、天側切離し部３５（底側切離し部５５）が包装箱１０から分離することがなく、包装箱１０の廃棄等が容易になる。
【００５５】
また、内側天蓋フラップ２１（内側底蓋フラップ４１）における天側切離し部３５（底側切離し部５５）が接着する領域は、内側天ロック片２２（内側底ロック片４２）が設けられる領域とは異なる。そのため、本体部１１をつぶした状態に維持することが可能となる。
【００５６】
一対の内側天蓋フラップ２１（内側底蓋フラップ４１）および一対の外側天蓋フラップ３１（外側底蓋フラップ５１）を折り畳んで天蓋および底蓋の少なくとも一方になるようにすることで、第１側板部１２や第２側板部１３にロック片が設けられている場合と比較して、包装箱１０の強度低下を抑制しやすい。
【００５７】
なお、本発明の技術範囲は上記実施形態に限定されるものではなく、本発明の趣旨を逸脱しない範囲において種々の変更を加えることが可能である。例えば、上記の実施の形態では包装箱１０が段ボールを用いて構成されている例に適用して説明したが、段ボールに限定されるものではなく厚紙などの他の材料から構成されていてもよい。
【００５８】
また、本実施形態では、第１蓋フラップが内側天蓋フラップ２１および内側底蓋フラップ４１に対応し、第２蓋フラップが外側天蓋フラップ３１および外側底蓋フラップ５１に対応し、第１ロック片が内側天ロック片２２および内側底ロック片４２に対応し、第２ロック片が外側天ロック片３２および外側底ロック片５２に対応する例に適用して説明したが、第１蓋フラップが外側天蓋フラップ３１および外側底蓋フラップ５１に対応し、第２蓋フラップが内側天蓋フラップ２１および内側底蓋フラップ４１に対応し、第１ロック片が外側天ロック片３２および外側底ロック片５２に対応し、第２ロック片が内側天ロック片２２および内側底ロック片４２に対応してもよい。
【符号の説明】
【００５９】
１０…包装箱、１１…本体部、１２…第１側板部（側板部）、１３…第２側板部（側板部）、２１…内側天蓋フラップ（第１蓋フラップ）、２２…内側天ロック片（第１ロック片）、２３，４３…内側ロック切れ目（切れ目）、３１…外側天蓋フラップ（第２蓋フラップ）、３２…外側天ロック片（第２ロック片）、３３…外側天ロック切れ目（切れ目）、３４…外側天ロック折り目（折り目）、３５…天側切離し部（切離し部）、３６…天側易切断線（易切断線）、４１…内側底蓋フラップ（第１蓋フラップ）、４２…内側底ロック片（第１ロック片）、５１…外側底蓋フラップ（第２蓋フラップ）、５２…外側底ロック片（第２ロック片）、５４…外側底ロック折り目（折り目）、５５…底側切離し部（切離し部）、５６…底側易切断線（易切断線）
【図１】
2019116303.tif 000003
【図２】
2019116303.tif 000004
【図３】
2019116303.tif 000005
【図４】
2019116303.tif 000006
【図５】
2019116303.tif 000007
【図６】
2019116303.tif 000008
【図７】
2019116303.tif 000009
【手続補正書】
【提出日】平成30年6月15日(2018.6.15)
【手続補正１】
【補正対象書類名】特許請求の範囲
【補正対象項目名】全文
【補正方法】変更
【補正の内容】
【特許請求の範囲】
【請求項１】
４つの側板部に囲まれ一方の開口および他方の開口を有する四角筒状の本体部と、
前記本体部の前記一方の開口側から延びて設けられ、前記一方の開口の蓋を形成する一対の内側蓋フラップおよび一対の外側蓋フラップと、
前記外側蓋フラップにおける先端側の辺に設けられた一対の切れ目または複数の切れ目が並んだ易切断線により区画された外側ロック片と、
前記内側蓋フラップにおける先端側の辺における、前記本体部がつぶされた際に前記外側ロック片と対向する位置に設けられた一対の切れ目または易切断線により区画された内側ロック片と、
が設けられ、
前記外側ロック片は、前記外側蓋フラップにおける先端側の辺の中央に設けられ、
前記外側ロック片における先端側の幅は、前記内側ロック片の先端側の幅よりも広く、前記外側ロック片における前記本体部側の幅は、前記内側ロック片の前記本体部側の幅以下であることを特徴とする包装箱。
【請求項２】
前記外側ロック片には、前記外側蓋フラップが前記一方の開口の蓋を形成した際に、前記本体部の内側に向かって折れ曲がり可能とする折り目が設けられていることを特徴とする請求項１記載の包装箱。
【請求項３】
前記外側蓋フラップにおける先端側の辺の端部には、易切断線によって前記外側蓋フラップと切り離し可能に区画されるとともに、前記外側蓋フラップが前記一方の開口の蓋を形成した際に、当該区画された領域が前記内側蓋フラップに接着される切離し部が設けられていることを特徴とする請求項１または２に記載の包装箱。
【請求項４】
前記一対の内側蓋フラップおよび前記一対の外側蓋フラップは、折り畳まれることにより前記本体部の天蓋となることを特徴とする請求項１から３のいずれか１項に記載の包装箱。
【請求項５】
前記一対の内側蓋フラップおよび前記一対の外側蓋フラップは、折り畳まれることにより前記本体部の底蓋となることを特徴とする請求項１から４のいずれか１項に記載の包装箱。